(57)【要約】【課題】  １ジョブ中に長さ寸法の異なる用紙が混在していても、これらの用紙に対して適正に用紙の束の整合やステープル処理等の後処理を施すことができるようにする。【解決手段】  搬送されてきた用紙Ｐを受けるべくスタック部２０の底部に設けられた用紙昇降部材４３と、用紙昇降部材４３を用紙受け板４２に沿って昇降用無端ベルト４５を介して昇降させるベルト用モータ４５１と、ベルト用モータ４５１の駆動を制御する制御部８０とを備え、制御部８０は、スタック部２０のスタック部内搬送路Ｒ６に受け入れられる用紙Ｐのサイズを判別する用紙受入れ判別部８１１と、直前にスタック部２０に収容されている用紙Ｐのサイズに対応した位置であって、当該用紙Ｐの後端縁がつぎの用紙Ｐと干渉しない干渉回避位置に位置するようにベルト用モータ４５１へ干渉回避信号を出力する用紙束昇降指示部８１３とを備えている。【選択図】      図８
2005154034.tif 000002
【特許請求の範囲】
【請求項１】
搬送されてくる用紙を一時的に貯留する立設型の用紙受け板を備えたスタック部を有する用紙スタック機構において、
搬送されてきた用紙を受けるべく前記スタック部の底部に設けられた用紙昇降部材と、
前記用紙昇降部材を前記用紙受け板に沿って昇降させる駆動手段と、
前記駆動手段の駆動を制御する制御手段と
を備え、
前記制御手段は、前記スタック部に受け入れられる用紙のサイズを判別するサイズ判別部と、前記サイズ判別部が判別した用紙のサイズを記憶する記憶部とを有し、
かつ、直前に前記スタック部に貯留されている直前用紙のサイズと、つぎに搬送されてくる次用紙のサイズとを比較し、この比較結果に基いて前記用紙昇降部材を用紙受入れ位置と、この用紙受入れ位置より下方の用紙整合位置との間で昇降させるべく前記駆動手段を制御するものであることを特徴とする用紙スタック機構。
【請求項２】
前記制御手段は、直前に前記スタック部に貯留されている直前用紙のサイズに対応した位置であって、当該直前用紙の後端縁が次用紙と干渉しないように設定された前記用紙受入れ位置に前記用紙昇降部材が位置するように前記駆動手段へ干渉回避信号を出力する干渉回避信号出力部と、
前記干渉回避信号出力部からの制御信号により前記昇降部材が前記用紙受入れ位置に位置設定された後、受け入れつつある次用紙のサイズに対応した用紙整合位置に前記用紙昇降部材を昇降させる昇降信号を前記駆動手段へ出力する昇降信号出力部と
を備えていることを特徴とする請求項１記載の用紙スタック機構。
【請求項３】
直前に前記スタック部に貯留された直前用紙の長さが、次用紙の長さより長い場合、前記用紙昇降部材は、次用紙の用紙整合位置で次用紙を受け入れるべく制御されることを特徴とする請求項１または２記載の用紙スタック機構。
【請求項４】
用紙が前記スタック部に排紙される都度、当該用紙を前記用紙受け板に向けて付勢する用紙付勢部材が設けられ、この用紙付勢部材は、用紙昇降部材が用紙整合位置から用紙受入れ位置へ上昇するまでの間保持している用紙を付勢した後、次用紙が排紙されるまでに前記付勢を解除するように構成されていることを特徴とする請求項１乃至３のいずれかに記載の用紙スタック機構。
【請求項５】
前記用紙昇降部材によって貯留用紙が用紙受入れ位置に上昇され、且つ前記用紙付勢部材による付勢が解除された状態で、貯留用紙が前記用紙受け板側に沿った姿勢を維持し得る姿勢維持部材が設けられていることを特徴とする請求項４記載の用紙スタック機構。
【請求項６】
請求項１乃至５のいずれかに記載の用紙スタック機構が採用されてなる後処理装置であって、前記スタック部に貯留されて整合された用紙束に所定の後処理を施すように構成されていることを特徴とする後処理装置。
【発明の詳細な説明】
【技術分野】
【０００１】
本発明は、順次搬送されてきたスタック部に用紙を受け入れて一時的に貯留しながら用紙束を揃える整合処理を行った後に排出する用紙スタック機構およびこの機構を備えた後処理装置に関するものである。
【背景技術】
【０００２】
従来、特許文献１に記載された図１０に示すような後処理装置が知られている。この後処理装置１００は、画像形成装置等の他の機器から排紙された用紙Ｐを受け入れる箱形を呈した筐体１０１と、この筐体１０１内に斜めに配されて例えばステイプル処理等の後処理を用紙束（貯留用紙）Ｐ１に施す後処理ユニット１０２と、前記筐体１０１の外部に後処理ユニット１０２と対向して設けられ、後処理ユニット１０２から排出された用紙Ｐあるいは用紙束Ｐ１を受ける複数段のジョブトレイ１０３とを備えて構成されている。
【０００３】
筐体１０１の側壁には、他の機器から排紙された用紙Ｐを筐体１０１内に引き取る引取りローラ対１０４が設けられているとともに、筐体１０１内には引取りローラ対１０４を介して導入された用紙Ｐを後処理ユニット１０２の中間位置に案内する搬送路１０５と、この搬送路１０５の下流端であって後処理ユニット１０２に臨む位置に配された排紙ローラ対１０６とが設けられている。したがって、引取りローラ対１０４を介して筐体１０１内に導入された用紙Ｐは、搬送路１０５を通り、排紙ローラ対１０６を介して後処理ユニット１０２に排紙されることになる。
【０００４】
前記後処理ユニット１０２は、上端がジョブトレイ１０３に対向するように斜めに配されたユニット本体１０２ａと、このユニット本体１０２ａの下部上面に突設された用紙束Ｐ１を支持する用紙支持板１０２ｂと、この用紙支持板１０２ｂの上方側であってユニット本体１０２ａとで用紙束Ｐ１を挟持し得る位置に設けられたステイプル装置１０２ｃとを備えている。そして、排紙ローラ対１０６を介してユニット本体１０２ａ上で用紙支持板１０２ｂに支持された用紙束Ｐ１は、ステイプル装置１０２ｃによってステイプル処理が施された後、図略の排紙機構の駆動で予め所定の高さ位置に設定された（すなわち排紙先のトレイが設定された）ジョブトレイ１０３に向けて排紙されるようになっている。
【０００５】
そして、このように構成された後処理装置１００においては、特に排紙ローラ対１０６とユニット本体１０２ａとの間に、水平軸周りに径方向に向けて多数本の毛が植設されたブラシローラ１０７が配設され、このブラシローラ１０７の図１０における水平軸回りの時計方向に向かう回転によって排紙ローラ対１０６を介してユニット本体１０２ａ上に排紙され、かつ、用紙支持板１０２ｂに支持された用紙Ｐの後端縁（図１０における上部側）がユニット本体１０２ａに向けて押し付けられるようになっている。
【０００６】
かかるブラシローラ１０７を採用することにより、排紙ローラ対１０６を介して後処理ユニット１０２のユニット本体１０２ａに排紙された用紙Ｐは、ブラシローラ１０７の毛で押されてユニット本体１０２ａに向けて撓むため、新たに送り込まれてきた用紙Ｐがすでに形成されているユニット本体１０２ａ上の用紙束Ｐ１の間に嵌り込んで頁の順番が入れ替わる、いわゆる頁狂いが生じなくなる。
【特許文献１】特開２０００−１５９４２１号
【発明の開示】
【発明が解決しようとする課題】
【０００７】
ところで、特許文献１に記載のものは、用紙束Ｐ１の頁狂いは確実に防止されるものの、１ジョブのスタック処理で対象となる用紙Ｐは、同一サイズのものに限られており、したがって、１ジョブ中にサイズ（特に長さ寸法）の異なる用紙Ｐが混在していると、かかるジョブには対応することができないという問題点を有している。
【０００８】
本発明は、かかる問題点を解消するためになされたものであり、１ジョブ中に長さ寸法の異なる用紙が混在していても、これらの用紙に対して適正に用紙の束の整合やステープル処理等の後処理を施すことができる機構を備えた後処理装置を提供することを目的としている。
【課題を解決するための手段】
【０００９】
請求項１記載の発明は、搬送されてくる用紙を一時的に貯留する立設型の用紙受け板を備えたスタック部を有する用紙スタック機構において、搬送されてきた用紙を受けるべく前記スタック部の底部に設けられた用紙昇降部材と、前記用紙昇降部材を前記用紙受け板に沿って昇降させる駆動手段と、前記駆動手段の駆動を制御する制御手段とを備え、前記制御手段は、前記スタック部に受け入れられる用紙のサイズを判別するサイズ判別部と、前記サイズ判別部が判別した用紙のサイズを記憶する記憶部とを有し、かつ、直前に前記スタック部に貯留されている直前用紙のサイズと、つぎに搬送されてくる次用紙のサイズとを比較し、この比較結果に基いて前記用紙昇降部材を用紙受入れ位置と、この用紙受入れ位置より下方の用紙整合位置との間で昇降させるべく前記駆動手段を制御するものであることを特徴とする用紙スタック機構である。
【００１０】
かかる構成を採用したことにより、スタック部に順次排紙される用紙は、排紙の都度サイズ判別部によってそのサイズが判別されるとともに、判別されたサイズは記憶部に記憶される。そして、制御手段は、直前に前記スタック部に貯留されている直前用紙のサイズと、つぎに搬送されてくる次用紙のサイズとを比較し、この比較結果に基いて前記用紙昇降部材を用紙受入れ位置と、用紙整合位置との間で移動させるように駆動手段を制御するため、直前用紙と次用紙のサイズが異なっていても、この相違に対応するように用紙昇降手段が次用紙を対象とした用紙受入れ位置と用紙整合位置との間で昇降し、これによってたとえ直前用紙と次用紙の用紙サイズが異なっていても、先端縁部を揃えた状態で各用紙が整合されつつスタック部に貯留されていくことになる。
【００１１】
このように、請求項１記載の用紙スタック機構によれば、後処理対象の用紙の束の中に、たとえ異なるサイズの用紙が混在していても、それらの先端縁部が揃った、いわゆる整合状態の用紙束をスタック部内に形成させることができるため、従来、異なるサイズの用紙が混在した用紙束の後処理装置による後処理は行うことができなかったという従来の不都合が解消され、後処理装置の汎用性の向上に果たした貢献度は大きい。
【００１２】
請求項２記載の発明は、請求項１記載の用紙スタック機構において、前記制御手段は、直前に前記スタック部に貯留されている直前用紙のサイズに対応した位置であって、当該直前用紙の後端縁が次用紙と干渉しないように設定された前記用紙受入れ位置に前記用紙昇降部材が位置するように前記駆動手段へ干渉回避信号を出力する干渉回避信号出力部と、前記干渉回避信号出力部からの制御信号により前記昇降部材が前記用紙受入れ位置に位置設定された後、受け入れつつある次用紙のサイズに対応した用紙整合位置に前記用紙昇降部材を昇降させる昇降信号を前記駆動手段へ出力する昇降信号出力部とを備えていることを特徴とするものである。
【００１３】
かかる構成を採用したことにより、スタック部に排紙される用紙は、まず、サイズ判別部によって用紙サイズが判別され、以後このサイズに応じたスタック処理が用紙に施されることになる。すなわち、干渉回避信号出力部がすでにスタック部にスタックされている直前用紙を対象とし、その用紙サイズに応じて駆動手段に干渉回避信号を出力するため、用紙昇降部材は、直前用紙を次用紙と干渉しない用紙受入れ位置にまで移動させる。したがって、次用紙は、直前用紙と干渉することなくスタック部に排紙されることになる。
【００１４】
ついで、干渉回避信号出力部からの制御信号により昇降部材が用紙受入れ位置に位置設定された後に次用紙が排紙されるため、たとえ直前用紙と長さ寸法が異なる異サイズの用紙がスタック部に排紙されても、次用紙は支障なくスタック部に収容される。
【００１５】
したがって、制御手段による制御で供給される用紙のサイズを判別しながら、干渉回避信号出力部からの適正な干渉回避信号、および昇降信号出力部からの適正な昇降信号を駆動手段に向けて出力していくことにより、たとえ長さ寸法寸法の異なる用紙が順次スタック部に供給されても、貯留用紙と次用紙との互いの干渉を回避した状態で、スタック部の用紙昇降部材上に用紙が順次貯留されていくため、異サイズの用紙を頁狂いがなく、且つ貯留用紙の先端縁部（下方縁部）が整合された状態でスタック部に一時的に貯留することができる。
【００１６】
そして、スタック部への１ジョブの排紙が完了した状態で、貯留用紙の先端縁部に対してステープリング処理等の後処理を施すことができる。
【００１７】
請求項３記載の発明は、請求項１または２記載の用紙スタック機構において、直前に前記スタック部に貯留された直前用紙の長さが、次用紙の長さより長い場合、前記用紙昇降部材は、次用紙の用紙整合位置で次用紙を受け入れるべく制御されることを特徴とする用紙スタック機構である。
【００１８】
かかる構成を採用することにより、直前用紙が次用紙より長い場合、用紙昇降部材を次用紙の用紙受入れ位置にまで上昇させるまでもなく、次用紙をこの長い用紙目掛けて排紙させることができ、これによって用紙将校部材を用紙整合位置から用紙受け入れ位置まで上昇させるという動作を行う必要がなくなり、その分スタック処理の迅速化を実現することができる。
【００１９】
請求項４記載の発明は、請求項１乃至３のいずれかに記載の用紙スタック機構において、用紙が前記スタック部に排紙される都度、当該用紙を前記用紙受け板に向けて付勢する用紙付勢部材が設けられ、この用紙付勢部材は、用紙昇降部材が用紙整合位置から用紙受入れ位置へ上昇するまでの間保持している用紙を付勢した後、次用紙が排紙されるまでに前記付勢を解除するように構成されていることを特徴とする用紙スタック機構である。
【００２０】
かかる構成を採用することにより、先にスタック部に排紙された用紙は、用紙付勢部材によって用紙昇降部材が用紙整合位置から用紙受入れ位置へ上昇するまでの間用紙受け板に向けて押し当てられ、その後、次用紙が排紙されるまでに前記付勢が解除されるため、スタック部内での直前用紙と次用紙との干渉が回避され、これによって貯留用紙の頁狂いを確実に防止することができる。
【００２１】
請求項５記載の発明は、請求項４記載の用紙スタック機構において、前記用紙昇降部材によって貯留用紙が用紙受入れ位置に上昇され、且つ前記用紙付勢部材による付勢が解除された状態で、貯留用紙が前記用紙受け板側に沿った姿勢を維持し得る姿勢維持部材が設けられていることを特徴とする用紙スタック機構である。
【００２２】
かかる構成を採用することにより、貯留用紙に対する用紙付勢部材による付勢が解除されても、貯留用紙は、姿勢維持部材によって用紙受け板に沿わされているため、スタック部に排紙された次用紙が先の貯留用紙と干渉することが回避され、これによって貯留用紙の頁狂いが確実に防止される。
【００２３】
請求項６記載の発明は、請求項１乃至５のいずれかに記載の用紙スタック機構が採用されてなる後処理装置であって、前記スタック部に貯留されて整合された用紙束に所定の後処理を施すように構成されていることを特徴とする後処理装置である。
【００２４】
かかる構成を採用することにより、後処理装置は、請求項１乃至４のいずれかに記載の用紙スタック機構が備える作用効果を享受したものになる。
【発明の効果】
【００２５】
請求項１記載の発明によれば、制御手段による制御で供給される用紙のサイズを判別しながら、干渉回避信号出力部からの適正な干渉回避信号、および昇降信号出力部からの適正な昇降信号を駆動手段に向けて出力していくことにより、たとえ長さ寸法寸法の異なる用紙が順次スタック部に供給されても、貯留用紙と次用紙との互いの干渉を回避した状態で、スタック部の用紙昇降部材上に用紙が順次貯留されていくため、異サイズの用紙を頁狂いがなく、且つ貯留用紙の先端縁部（下方縁部）が整合された状態でスタック部に一時的に貯留することができる。
【００２６】
請求項２記載の発明によれば、制御手段による制御で供給される用紙のサイズを判別しながら、干渉回避信号出力部からの適正な干渉回避信号、および昇降信号出力部からの適正な昇降信号を駆動手段に向けて出力していくことにより、たとえ長さ寸法寸法の異なる用紙が順次スタック部に供給されても、貯留用紙と次用紙との互いの干渉を回避した状態で、スタック部の用紙昇降部材上に用紙が順次貯留されていくため、異サイズの用紙を頁狂いがなく、且つ貯留用紙の先端縁部（下方縁部）が整合された状態でスタック部に一時的に貯留することができる。
【００２７】
請求項３記載の発明によれば、直前用紙が次用紙より長い場合、用紙昇降部材を次用紙の用紙受入れ位置にまで上昇させるまでもなく、次用紙をこの長い用紙目掛けて排紙させることができ、これによって用紙将校部材を用紙整合位置から用紙受け入れ位置まで上昇させるという動作を行う必要がなくなり、その分スタック処理の迅速化を実現することができる。
【００２８】
請求項４記載の発明によれば、先にスタック部に排紙された用紙は、用紙付勢部材によって用紙受け板に向けて押し当てられるため、直前用紙と次用紙との干渉が回避され、これによって貯留用紙の頁狂いを確実に防止することができる。
【００２９】
請求項５記載の発明によれば、貯留用紙に対する用紙付勢部材による付勢が解除されても、貯留用紙は、姿勢維持部材によって用紙受け板に沿わされているため、スタック部に排紙された次用紙が先の貯留用紙と干渉することが回避され、これによって貯留用紙の頁狂いを確実に防止することができる。
【００３０】
請求項６記載の発明によれば、後処理装置を、請求項１乃至４のいずれかに記載の用紙スタック機構が備える作用効果を享受したものにすることができる。
【発明を実施するための最良の形態】
【００３１】
図１は、本発明に係る後処理装置の一実施形態の内部構造を説明するための側面視の説明図である。この図に示すように、本実施形態の後処理装置１０は、複写機やファクシミリ装置、さらには各種のプリンタとして適用される画像形成装置１９に隣設されるものであり、縦長の箱状を呈した筐体１１内に、用紙搬送路Ｒに沿って用紙Ｐに綴り孔を穿孔するためのパンチング処理を施すパンチ部１２と、このパンチ部１２の下流側（図１の左方）に設けられて用紙Ｐを行き先別に振り分ける用紙振分け部１３と、この用紙振分け部１３の下部に配設され排紙された用紙Ｐの束（用紙束Ｐ１）を一時的に貯留するとともに、用紙束Ｐ１に対して当該用紙束Ｐ１を綴じるためのステイプル処理を施すスタック部２０と、ステイプル処理後の用紙束Ｐ１に中折り処理を施す中折り処理部１６とが内装されてる。
【００３２】
一方、筐体１１外には、その背面側に立設されたジョブトレイ１４と、このジョブトレイ１４の下方位置に配設された汎用トレイ１５と、この汎用トレイ１５と対向するように筐体１１の下端部に配設された中折りトレイ１７とが設けられている。ジョブトレイ１４および汎用トレイ１５には、中折り処理が施されない用紙Ｐや用紙束Ｐ１が排紙されるのに対し、中折りトレイ１７には、中折り処理部１６における中折り処理が施された用紙束Ｐ１が排出される。
【００３３】
前記用紙搬送路Ｒは、筐体１１の正面側（図１の右方）の上部に設けられた、画像形成装置１９の排紙口１９１から排紙される用紙Ｐを受け継ぐための用紙受継ぎ開口１１１から用紙振分け部１３へ向かう入口側搬送路Ｒ１と、この入口側搬送路Ｒ１に続く、用紙振分け部１３に形成された環状搬送路Ｒ２と、この環状搬送路Ｒ２から上方後部に向かって分岐されたジョブトレイ向け搬送路Ｒ３と、用紙振分け部１３からジョブトレイ向け搬送路Ｒ３の下部で汎用トレイ１５へ向かうように分岐された汎用トレイ向け搬送路Ｒ４と、用紙振分け部１３からスタック部２０へ向けて垂下されたスタック部向け搬送路Ｒ５と、スタック部２０内を上下に縦貫するように形成されたスタック部内搬送路Ｒ６と、このスタック部内搬送路Ｒ６と連通可能な状態で中折り処理部１６内を斜めに貫通するように形成された中折り部内搬送路Ｒ７と、中折り処理部１６内で中折り処理の施された用紙束Ｐ１を搬出するための搬出搬送路Ｒ８とからなっている。
【００３４】
前記用紙振分け部１３には、それぞれ適所に搬送路切り換え用の切換え部材が設けられ、これらの切換え部材の所定の切り換え動作によって画像形成装置１９から用紙受継ぎ開口１１１を介して入口側搬送路Ｒ１内に排紙された用紙Ｐは、予め設定された搬送路を通って目的の場所に送り込まれることになる。
【００３５】
前記パンチ部１２は、入口側搬送路Ｒ１の上方位置に設けられている。かかるパンチ部１２は、内部にパンチ刃を昇降させるパンチ機構１２１を有し、入口側搬送路Ｒ１に導入された用紙Ｐは、搬送が一時的に停止された状態でパンチ機構１２１の駆動によるパンチ刃の昇降で所定の位置にパンチ孔が穿孔されるようになっている。
【００３６】
前記用紙振分け部１３は、入口側搬送路Ｒ１から送り込まれた用紙Ｐをスタック部向け搬送路Ｒ５へ向かわせるための退避ドラム１３１を有している。前記退避ドラム１３１は、用紙Ｐを入口側搬送路Ｒ１からスタック部向け搬送路Ｒ５へ直接向かわせようとした場合、用紙Ｐが略直角に折れ曲がった状態になるのを防止して円滑にスタック部向け搬送路Ｒ５へ送り込むためのものであり、軸心回りに時計方向に向かう回転で用紙Ｐをその周面に沿わせることにより、用紙Ｐは、大きな角度変化が生じることなくスタック部向け搬送路Ｒ５に導入されるようになっている。
【００３７】
スタック部向け搬送路Ｒ５の略中間位置には、用紙Ｐをスタック部内搬送路Ｒ６へ向けて押し出すガイドローラ対Ｒ５１が設けられており、用紙Ｐは、このガイドローラ対Ｒ５１の駆動により安定した定速状態でスタック部内搬送路Ｒ６に導入されるようになっている。
【００３８】
前記ジョブトレイ１４は、上下に所定間隔で並設された複数枚の単位トレイ１４１からなり、ジョブの種類に応じていずれかの単位トレイ１４１を選択し得るようになっている。この選択のために、ジョブトレイ１４は、筐体１１の背面部に立設された支柱１１２に沿って昇降可能に構成され、所望の単位トレイ１４１が選択されると、この単位トレイ１４１の基端側が前記ジョブトレイ向け搬送路Ｒ３の下流端と対向する位置に設定されるようになっている。したがって、ジョブトレイ向け搬送路Ｒ３を通って排紙された用紙Ｐは、予め選択された単位トレイ１４１に排紙されることになる。
【００３９】
前記汎用トレイ１５は、特にジョブトレイ１４での排紙先である単位トレイ１４１が選択されない用紙Ｐや用紙束Ｐ１、すなわち、汎用トレイ向け搬送路Ｒ４を通って排紙される一般的な用紙Ｐおよび一旦スタック部内搬送路Ｒ６で所定の後処理が施された用紙束Ｐ１を受けるものであり、その基端側が汎用トレイ向け搬送路Ｒ４の下流端に対向配置されるようになっている。
【００４０】
前記スタック部２０は、スタック部向け搬送路Ｒ５を通ってスタック部内搬送路Ｒ６に順次導入された用紙Ｐを一時貯留して用紙束Ｐ１を形成するとともに、この形成された用紙束Ｐ１に対して端部を揃える整合処理と、用紙束Ｐ１を綴結する、いわゆるステイプル処理とを施すものである。スタック部向け搬送路Ｒ５は、下流端がスタック部内搬送路Ｒ６の中間位置より若干上方位置に対向されている一方、スタック部内搬送路Ｒ６の上端部は前記汎用トレイ向け搬送路Ｒ４に対向されている。
【００４１】
したがって、スタック部向け搬送路Ｒ５を通って一旦スタック部内搬送路Ｒ６に導入された用紙Ｐは、ここで用紙束Ｐ１となってステイプル処理が施された後、当該用紙束Ｐ１がスタック部内搬送路Ｒ６の上端部から汎用トレイ向け搬送路Ｒ４を介して汎用トレイ１５に排出されることになる。
【００４２】
前記中折り処理部１６は、スタック部２０で中央部にステイプル処理が施された用紙束Ｐ１に対して、同中央部を境にして折り畳む、いわゆる中折り処理を施す部位であり、中折りユニット１６１が設けられている。
【００４３】
この中折りユニット１６１は、中折り部内搬送路Ｒ７の中央上部に設けられた中折りローラ対１６２と、中折り部内搬送路Ｒ７の下部に中折りローラ対１６２と対向して設けられた中折り部内搬送路Ｒ７を横断する板状の押し型１６３と、搬出搬送路Ｒ８の下流端に設けられた搬出ローラ対１６４と、この搬出ローラ対１６４の下流側で所定の軸回りに揺動可能に設けられた押え部材１６５とを備えて構成されている。
【００４４】
前記押し型１６３は、用紙束Ｐ１が中折り部内搬送路Ｒ７に搬入された状態で、ステイプル処理が施されている部分を、図略の駆動手段の駆動によって中折りローラ対１６２間に向けて押圧するようになされている。したがって、押し型１６３により中央部が押圧されて中折り状態になった用紙束Ｐ１は、中折りローラ対１６２の駆動で搬出搬送路Ｒ８内に引き入れられ、搬出搬送路Ｒ８、搬出ローラ対１６４および押え部材１６５を介して中折りトレイ１７に排出されることになる。
【００４５】
以下、前記スタック部２０について、図２を基に、必要に応じて図１を参照しながら詳細に説明する。図２は、スタック部２０（後処理ユニット３０）の一実施形態を示す概略側面図である。なお、図２においては、受けユニット４０およびカバーユニット５０の各幅方向（図２の紙面に直交する方向）一対の側板の内、図２に向かって手前側のものを取り外した状態を示している。
【００４６】
まず、図２に示すように、スタック部２０は、スタック部向け搬送路Ｒ５からの用紙Ｐを受ける受けユニット４０と、この受けユニット４０の用紙受け面に開閉自在に被せられるカバーユニット５０とからなる後処理ユニット３０を備えて構成されている。
【００４７】
前記受けユニット４０は、上端部が前記汎用トレイ向け搬送路Ｒ４に対向するとともに、下端部が筐体１１の右方下部に位置するように長さ設定されて斜めに配された幅方向一対の側板４１間に、用紙Ｐを受ける用紙受け板４２と、この用紙受け板４２上に積層されて形成した用紙束Ｐ１を前記用紙受け板に沿って上方位置（用紙受入れ位置）と下方位置（用紙整合位置）との間で昇降させる用紙昇降部材４３と、各側板４１間における上下方向の略中間位置に架設されたステイプル機構４４と、前記用紙昇降部材４３を用紙受け板４２に沿って昇降させる昇降用無端ベルト４５とが介設されることによって構成されている。
【００４８】
前記用紙受け板４２は、幅方向（図２の紙面に直交する方向）に複数枚が並設されているとともに、前記昇降用無端ベルト４５は、並設された用紙受け板４２間の隙間に嵌り込んだ状態で配設されている。前記用紙昇降部材４３は、かかる用紙受け板４２間に設けられた昇降用無端ベルト４５に固定され、昇降用無端ベルト４５の正逆周回によって用紙受け板４２に沿って昇降するようになっている。
【００４９】
図３は、用紙昇降部材４３の一実施形態を示す斜視図である。図３に示すように、用紙昇降部材４３は、跨いだ状態で昇降用無端ベルト４５に固定される断面視がコ字状の固定部４３１と、この固定部４３１に一体に連接された、用紙束Ｐ１を受ける用紙束受け部４３４とからなっている。
【００５０】
前記固定部４３１は、幅寸法が昇降用無端ベルト４５のそれと略同一に設定された平板４３２と、この平板４３２の幅方向両側部から昇降用無端ベルト４５の方向に向けて折り返されることによって形成された一対の側板４３３とからなっている。そして、一対の側板４３３により昇降用無端ベルト４５を挟持した状態で平板４３２が昇降用無端ベルト４５にボルト止めされることによって固定部４３１が昇降用無端ベルト４５に固定されるようになっている。
【００５１】
前記用紙束受け部４３４は、固定部４３１の平板４３２の上下方向の端縁から延設されることによって形成されており、平板４３２の上端縁から延設された用紙束受け板４３５と、平板４３２の下縁部から延設されて上縁部が前記用紙束受け板４３５の先端縁に溶接止め等で固定された円弧状の補強板４３６とからなっている。
【００５２】
前記用紙束受け板４３５は、側面視で一段の階段状に形成され、平板４３２に直結した用紙束Ｐ１の下端縁が当止する当止板４３５ａと、この当止板４３５ａの先端縁からさらに延設された側面視でＬ字状を呈し、かつ、当止板４３５ａより上方に突出したＬ型板４３５ｂとからなっている。そして、当止板４３５ａの上方であって、昇降用無端ベルト４５とＬ型板４３５ｂとの間に用紙束Ｐ１の下縁部が嵌り込む用紙束支持空間４３７が形成されている。
【００５３】
前記ステイプル機構４４（図２）は、後処理ユニット３０の受けユニット４０およびカバーユニット５０間で前記用紙昇降部材４３に支持された状態の用紙束Ｐ１に対してステイプル処理を施すものであり、ステイプル用の綴り針の供給機構や、供給された綴り針を用紙束Ｐ１に打ち込む打ち込み機構などが備えられているが、ここでは説明を省略する。
【００５４】
前記昇降用無端ベルト４５は、図２に示すように、一対の側板４１間に架設された所定個数のベルト支持ローラに掛け回され、側板４１間であって長手方向の略中間位置に設けられたベルト用モータ（駆動手段）４５１の駆動で周回するようになっている。前記ベルト支持ローラとしては、ベルト用モータ４５１の駆動軸に同心で固定された駆動ローラ４５２と、一対の側板４１間の上端部、同下端部および一対の側板４１間であって昇降用無端ベルト４５を前記駆動ローラ４５２に巻き掛け得る位置にそれぞれ設けられた所定個数の従動ローラ４５３とが採用されている。
【００５５】
したがって、昇降用無端ベルト４５は、ベルト用モータ４５１の正逆駆動により駆動ローラ４５２を介して各従動ローラ４５３間を正逆周回し、これによって当該昇降用無端ベルト４５に連結されている用紙昇降部材４３が用紙受け板４２に沿って昇降することになる。
【００５６】
また、前記用紙昇降部材４３は、図２に示すように、従動ローラ４５３の内の最下位に位置した最下位ローラ４５３ａを介して受けユニット４０およびカバーユニット５０間の用紙束支持位置から一対の側板４１間の下部の位置である退避位置へ向けて移動し得るようになっている。そして、用紙昇降部材４３が退避位置に位置することによって、スタック部内搬送路Ｒ６が中折り部内搬送路Ｒ７に連通され、これによってステイプル機構４４で中折り用のステイプル処理（用紙束Ｐ１の中央部がステイプルされる）が施された用紙束Ｐ１が中折り部内搬送路Ｒ７へ向かい得るようになっている。
【００５７】
前記カバーユニット５０は、用紙Ｐがスタック部内搬送路Ｒ６に排紙されることによって形成した用紙束Ｐ１の昇降を受けユニット４０の用紙受け板４２と対向してガイドするために当該受けユニット４０に被せられるものであり、幅方向（図２の紙面に直交する方向）一対の側板５１と、これら一対の側板５１間で受けユニット４０の用紙受け板４２と対向するように架設された被せ板５２と、前記ステイプル機構４４と対向した位置に設けられた受け部５３とを備えて構成されている。前記受け部５３は、ステイプル機構４４が用紙束Ｐ１に対してステイプル処理を施す際の受け台としての役割を果たすものであり、ここには後述する中綴じ用のステイプラのクリンチャー部が設けられている。
【００５８】
かかるカバーユニット５０は、最下位ローラ４５３ａを軸支するローラ軸４５３ｂ回りに回動自在に軸支され、このローラ軸４５３ｂ回りに正逆回動することによってスタック部内搬送路Ｒ６を閉止した、図２において実線で示す閉止姿勢と、スタック部内搬送路Ｒ６を開放した、図２に二点鎖線で示す開放姿勢との間で姿勢変更可能になっている。
【００５９】
そして、本発明においては、図２に示すように、カバーユニット５０の上端部の斜め上方であって、ガイドローラ対Ｒ５１の略直下におけるスタック部向け搬送路Ｒ５の後方位置（図２の右方）に付勢部材６０が設けられているとともに、この付勢部材６０の上方位置であって、ガイドローラ対Ｒ５１の前方のローラの前方位置に姿勢維持部材７０が設けられている。
【００６０】
前記付勢部材６０は、ガイドローラ対Ｒ５１を介してスタック部内搬送路Ｒ６へ排紙された用紙Ｐの後端縁部（上縁部）を、受けユニット４０の用紙受け板４２へ向けて付勢するためのものである。この付勢が行われた状態で、用紙昇降部材４３が上昇されることにより、用紙束Ｐ１の上端部が姿勢維持部材７０と用紙受け板４２との間に誘導され、これによって直前にスタック部内搬送路Ｒ６に到達した用紙Ｐがつぎに送られてくる用紙Ｐの排紙の邪魔にならないようにするためのものである。
【００６１】
前記姿勢維持部材７０は、用紙昇降部材４３の昇降動作による用紙束Ｐ１の整合処理動作において、用紙束Ｐ１の上縁部がばらけてスタック部内搬送路Ｒ６からスタック部向け搬送路Ｒ５の方向に向けて逆流するのを防止するためのものであり、前記付勢部材６０との協働によって用紙束Ｐ１の頁狂いが防止される。
【００６２】
図４は、付勢部材６０および姿勢維持部材７０の一実施形態を示す斜視図である。なお、図４において、Ｘ−Ｘ方向を幅方向、Ｙ−Ｙ方向を前後方向といい、特に−Ｘ方向を左方、＋Ｘ方向を右方、−Ｙ方向を前方、＋Ｙ方向を後方という。
【００６３】
図４に示すように、付勢部材６０は、上下方向に長尺の幅方向一対の側板６１と、これら一対の側板６１の前縁部間に架設された前面板６２と、この前面板６２の先端部が一対の側板６１の上縁部に向けて湾曲されることにより形成された上面板６３とを備えて構成されている。
【００６４】
前記各側板６１の基端部（下部）は、スタック部向け搬送路Ｒ５の若干後方位置を幅方向に横断するように筐体１１の所定のフレームに架設された横断軸１１３回りに回動自在に軸支され、これによって付勢部材６０は、図２および図４に実線で示す、横断軸１１３上に起立した用紙受入れ姿勢（待機姿勢）と、図２および図４に二点差線で示す、用紙Ｐの上縁部を用紙受け板４２へ向けて付勢する付勢姿勢との間で姿勢変更し得るようになっている。
【００６５】
かかる付勢部材６０には、右側の側板６１の基端部から若干右方に突出した状態で先端側が後方に折り曲げられた、平面視でＬ字状を呈するＬ型突片６４が設けられている一方、筐体１１の図略のフレームには、このＬ型突片６４に対応したアクチュエータ６５が設けられ、このアクチュエータ６５の上下方向に動く操作ロッド６５１の上端部が、連結軸６５２を介して前記Ｌ型突片６４の先端に連結されている。したがって、アクチュエータ６５の正逆駆動で操作ロッド６５１がアクチュエータ６５から出没することにより、付勢部材６０は、Ｌ型突片６４を介して横断軸１１３回りに正逆回動し、図４に二点鎖線で示す用紙押え姿勢と、同実線で示す用紙受入れ姿勢との間で姿勢変更するようになっている。
【００６６】
前記姿勢維持部材７０は、図４に示すように、ガイドローラ対Ｒ５１の前方のローラの上位側に汎用トレイ向け搬送路Ｒ４（図１）へ向かうべく図略のフレームに固定された、先上りの傾斜を有し、かつ、幅方向に長尺の上部誘導板７１と、この上部誘導板７１下縁部から下方に向けて延設された下部誘導板（ガイド板）７２とを備えて構成されている。
【００６７】
前記下部誘導板７２は、上面側がガイドローラ対Ｒ５１の前方のローラの周面に略当接され、これによってガイドローラ対Ｒ５１の前方のローラの周面の前方下部を斜めに覆った状態になっている。かかる下部誘導板７２は、その下端縁部が、用紙付勢姿勢に姿勢設定された付勢部材６０の上面板６３の前端縁より後方に位置するように寸法設定されている。
【００６８】
したがって、付勢部材６０が付勢姿勢に設定された状態で用紙昇降部材４３が上昇することによりスタック部内搬送路Ｒ６内を上昇中の用紙束Ｐ１は、その上端縁が付勢部材６０の前面板６２および姿勢維持部材７０の下部誘導板７２に誘導されて汎用トレイ向け搬送路Ｒ４に向かうため、用紙束Ｐ１の一部がスタック部向け搬送路Ｒ５に戻るような不都合の発生が確実に防止される。
【００６９】
また、本実施形態においては、ステイプル機構４４は、スタック部内搬送路Ｒ６に一時貯留された用紙束Ｐ１の下端縁部の幅方向の適所の２個所を綴結する端部綴結モードと、同用紙束Ｐ１の上下方向の中央部における幅方向の適所の２個所を綴結する中央部綴結モード（中綴じモード）と、用紙束Ｐ１の下端縁部における幅方向の一側部を斜めに綴結するコーナー部綴結モード（平綴じモード）との３種類のステイプルモードを選択し得るようになっている。
【００７０】
そして、用紙束Ｐ１の整合が行われた後、用紙昇降部材４３は、用紙サイズおよび予め設定されたステイプル処理モードに応じて高さ位置が設定され、その後のステイプル機構４４の駆動によって用紙束Ｐ１に対し予め設定されたステイプルモードに応じた位置にステイプル処理が施されるようになっている。
【００７１】
そして、ステイプル機構４４が端部綴結モードまたはコーナー部綴結モードに設定されているときは、ステイプル処理の終了した後の用紙束Ｐ１は、汎用トレイ向け搬送路Ｒ４を介して汎用トレイ１５へ排出される一方、ステイプル機構４４が中央部綴結モードに設定されているときは、ステイプル処理の終了した後の用紙束Ｐ１は、中折り部内搬送路Ｒ７を介して中折り処理部１６へ向けて送り込まれ、ここで上記所定の中折り処理が施された後、中折りトレイ１７へ排出されることになる。
【００７２】
さらに、本実施形態においては、スタック部内搬送路Ｒ６に一時貯留された用紙束Ｐ１を対象とした図略の幅方向整合手段が設けられている。この幅方向整合手段は、用紙サイズに対応して幅方向に揺動する一対の揺動部材を備えて構成され、用紙Ｐがスタック部内搬送路Ｒ６に排紙される都度、これらの揺動部材が用紙Ｐを左右から挟むように揺動し、これによって用紙束Ｐ１の幅方向の整合処理が行われるようになっている。
【００７３】
因みに、幅方向整合手段は、前記揺動部材を備えることに限定されるものではなく、揺動部材に代えて一対の幅方向規制部材を設け、これら一対の幅方向規制部材間の内寸法を用紙サイズに応じて変更するだけにしてもよい。こうすることによって、スタック部内搬送路Ｒ６に排紙される用紙Ｐは、これら一対の幅方向規制部材に規制されることによって幅方向の整合が実現する。
【００７４】
そして、本発明においては、１ジョブにおいて後処理装置１０に供給される用紙Ｐの中にたとえ異なったサイズ（長さ寸法）のものが混在していても、後処理ユニット３０のスタック部内搬送路Ｒ６における整合処理やステイプリング等の後処理を適正に行うことができるものである。そのために、スタック部向け搬送路Ｒ５の上流側の適所に用紙Ｐの受入れおよび用紙Ｐの長さ寸法を検出する用紙受入れセンサ８０１が設けられ、この用紙受入れセンサ８０１の検出結果に基づいて（すなわち、検出された用紙Ｐの長さ寸法に基づいて）、用紙昇降部材４３および付勢部材６０の動作が後述する制御部８０によって適正に制御され、これによってたとえ１ジョブの用紙Ｐ中に異なったサイズの用紙Ｐが混在していても支障のないようになされている。
【００７５】
以下、図５を基に同一サイズの用紙Ｐを対象とした整合処理について説明するとともに、図６〜図９を基に、用紙Ｐ中に異なったサイズのものが混在している場合の整合処理について具体的に説明する。
【００７６】
まず、図５は、短尺用紙Ｐｓのみの用紙束Ｐ１の整合処理の作用を説明するための説明図であり、（イ）は、最初の短尺用紙Ｐｓがスタック部内搬送路Ｒ６に排紙された直後の状態、（ロ）は、スタック部内搬送路Ｒ６内に排紙された短尺用紙Ｐｓが用紙昇降部材４３の下降で下がった状態、（ハ）は、スタック部内搬送路Ｒ６内で一旦下がった短尺用紙Ｐｓが用紙昇降部材４３の上昇で上がった状態、（ニ）は、つぎの短尺用紙Ｐｓがスタック部内搬送路Ｒ６に排紙されつつある状態をそれぞれ示している。
【００７７】
まず、図５の（イ）に示す状態では、画像形成装置１９（図１）から後処理装置１０へ受け渡され、入口側搬送路Ｒ１を通り、ガイドローラ対Ｒ５１の駆動で後処理ユニット３０のスタック部内搬送路Ｒ６に排紙された短尺用紙Ｐｓは、横断軸１１３上に起立した状態の用紙受入れ姿勢に姿勢設定された付勢部材６０の前面板６２に案内され、スタック部内搬送路Ｒ６内で用紙受入れ位置に位置設定された用紙昇降部材４３の当止板４３５ａによって下端縁部が支持された状態になっている。
【００７８】
なお、用紙昇降部材４３は、用紙受入れセンサ８０１の検出結果に基いて、予め短尺用紙用上方位置（図５の（イ）に実線で表示）に位置設定されている。因みに、図５の（イ）には、短尺用紙用下方位置を二点鎖線で示している。
【００７９】
この状態で、ベルト用モータ４５１（図１）が駆動され、これによる昇降用無端ベルト４５の時計方向に向かう周回で用紙昇降部材４３が図５の（イ）に二点鎖線で示す短尺用紙用下方位置にまで下降される。これと同期して用紙受入れ姿勢に姿勢設定されていた付勢部材６０がアクチュエータ６５の駆動による操作ロッド６５１の突出でＬ型突片６４を介し横断軸１１３回りに時計方向に回動されて用紙付勢姿勢に姿勢設定され、このときの回動による付勢作用で短尺用紙Ｐｓの上縁部が、図５の（ロ）に示すように、受けユニット４０の用紙受け板４２へ向けて押し遣られる。
【００８０】
ついで、図５の（ハ）に示すように、付勢部材６０の用紙付勢姿勢が維持された状態で、用紙昇降部材４３が二点鎖線で示す短尺用紙用下方位置から実線で示す元の用紙受入れ位置に向けて上昇される。この上昇によって短尺用紙Ｐｓもスタック部内搬送路Ｒ６内を上昇するが、この上昇に当り短尺用紙Ｐｓの上縁部は用紙付勢姿勢に姿勢設定された付勢部材６０によって下部誘導板７２より前方（図５の左方）側に押し遣られているため、たとえ短尺用紙Ｐｓの上端部がカール癖などでガイドローラ対Ｒ５１の方向に向けて傾いていても、短尺用紙Ｐｓの上縁部が下部誘導板７２を越えてガイドローラ対Ｒ５１に向かうことなく、用紙受け板４２と姿勢維持部材７０との間に入れられる。
【００８１】
そして、短尺用紙Ｐｓの上端部が下部誘導板７２と用紙受け板４２との間に位置した状態で、付勢部材６０が横断軸１１３回りに時計方向へ向けて所定角度回動させられて用紙受入れ姿勢に姿勢設定され、この状態で、図５の（ニ）に示すように、２枚目の短尺用紙Ｐｓがスタック部内搬送路Ｒ６に供給される。したがって、２枚目の短尺用紙Ｐｓが１枚目の短尺用紙Ｐｓより前方に嵌め込まれるようなことはない。
【００８２】
ついで、２枚目の短尺用紙Ｐｓに関して、図５の（イ）〜（ニ）に示す操作が繰り返され、３枚目以降も同様の操作が繰り返されるため、スタック部内搬送路Ｒ６には、頁狂いが防止された状態で用紙束Ｐ１が順次形成されていく。
【００８３】
そして、短尺用紙Ｐｓがスタック部内搬送路Ｒ６に供給される都度、用紙昇降部材４３は、当止板４３５ａで用紙束Ｐ１の下端縁面を支持した状態で上方位置（整合位置）と下方位置（受入れ位置）との間を往復動（昇降）するため、これによる揺さぶり作用によって用紙束Ｐ１は、上下の縁部が揃ったいわゆる整合状態になる。
【００８４】
最後の短尺用紙Ｐｓがスタック部内搬送路Ｒ６に供給されると、用紙昇降部材４３は、ベルト用モータ４５１（図２）の駆動による昇降用無端ベルト４５の反時計方向へ向かう周回によって用紙受け板４２の上端部にまで移動し、これによって用紙束Ｐ１は、汎用トレイ向け搬送路Ｒ４を介して汎用トレイ１５に向かうことになる。
【００８５】
なお、用紙Ｐが長尺用紙Ｐｂの場合、用紙昇降部材４３の位置が短尺用紙用のレベルより下方レベルの長尺用上方位置と、長尺用下方位置との間で昇降する点を除いて用紙昇降部材４３および付勢部材６０の動作は短尺用紙Ｐｓの場合と同様である。
【００８６】
ついで、短尺用紙Ｐｓ中に長尺用紙Ｐｂが混在している場合について図６を基に詳細に説明する。図６は、短尺用紙Ｐｓの用紙束Ｐ１の上に長尺用紙Ｐｂが排紙される場合の作用を説明するための説明図であり、（イ）は、スタック部内搬送路Ｒ６に短尺用紙Ｐｓの用紙束Ｐ１が形成された状態で長尺用紙Ｐｂがスタック部内搬送路Ｒ６に供給されようとしている状態、（ロ）は、スタック部内搬送路Ｒ６内の短尺用紙Ｐｓの用紙束Ｐ１上に長尺用紙Ｐｂが排紙され始めた状態、（ハ）は、用紙昇降部材４３が長尺用紙用下方位置に位置設定されるとともに、付勢部材６０が用紙付勢姿勢に姿勢設定された状態、（ニ）は、付勢部材６０の用紙付勢姿勢が維持されたまま用紙昇降部材４３が長尺用上方位置に位置設定された状態をそれぞれ示している。
【００８７】
まず、図６の（イ）に示す状態では、短尺用紙Ｐｓの用紙束Ｐ１は、用紙昇降部材４３が短尺用紙用上方位置に位置設定されていることにより、用紙束Ｐ１の上縁部が姿勢維持部材７０と用紙受け板４２との間に位置し、これによって用紙束Ｐ１の上縁部がガイドローラ対Ｒ５１側に撓むのが阻止された状態になっている。
【００８８】
この状態で、つぎの用紙Ｐ（次用紙）として長尺用紙Ｐｂが排紙されると、この用紙Ｐが長尺用紙Ｐｂであることを用紙受入れセンサ８０１が検出するため、この検出信号に基づいて付勢部材６０が、図６の（ロ）に示すように、用紙受入れ姿勢に姿勢変更される。これによってガイドローラ対Ｒ５１を介してスタック部内搬送路Ｒ６に排紙された長尺用紙Ｐｂは一旦用紙昇降部材４３に受けられる。
【００８９】
ついで、用紙昇降部材４３が、図６の（ハ）に示すように、長尺用紙用下方位置にまで下降されるとともに、用紙受入れ姿勢であった付勢部材６０の用紙付勢姿勢への姿勢変更によって長尺用紙Ｐｂの上縁部が用紙受け板４２に向けて付勢され、これによって長尺用紙Ｐｂの上縁部が姿勢維持部材７０の内側に対向した状態になる。
【００９０】
引き続き、付勢部材６０の用紙付勢姿勢が維持された状態で、用紙昇降部材４３が、図６の（ニ）に示すように、長尺用紙用上方位置まで上昇され、これによって長尺用紙Ｐｂの上縁部が姿勢維持部材７０と用紙受け板４２との間に位置させられてつぎの用紙Ｐの受入れの準備が完了する。つぎの用紙Ｐが長尺用紙Ｐｂである場合は、短尺用紙Ｐｓを長尺用紙Ｐｂに代えて図５と同様の操作が行われる。これに対しつぎの用紙Ｐが短尺用紙Ｐｓの場合は、図７に示すような後述の方法で対処される。
【００９１】
なお、上記の説明では、長尺用紙Ｐｂが排紙される前に、スタック部内搬送路Ｒ６に短尺用紙Ｐｓの用紙束Ｐ１が形成されていた場合について説明したが、スタック部内搬送路Ｒ６に一時貯留されている用紙束Ｐ１は、短尺用紙Ｐｓと長尺用紙Ｐｂとが混在していてもよい。つまり、スタック部内搬送路Ｒ６に排紙される用紙Ｐ（次用紙）の直前の用紙Ｐ（直前用紙）の種類によって、つぎの用紙Ｐが排紙されるに際し、用紙昇降部材４３の高さ位置が設定されるからである。
【００９２】
つぎに、スタック部内搬送路Ｒ６へ排紙される用紙Ｐが短尺用紙Ｐｓであり、かつ、直前の用紙Ｐが長尺用紙Ｐｂである場合について図７を基に説明する。図７は、直前の用紙Ｐが長尺用紙Ｐｂであって、つぎの用紙Ｐが短尺用紙Ｐｓである場合の作用を説明する説明図であり、（イ）は、短尺用紙Ｐｓがスタック部内搬送路Ｒ６に排紙されつつある状態、（ロ）は、用紙昇降部材４３が短尺用上方位置まで上昇された状態、（ハ）は、つぎの用紙Ｐを受け入れるために付勢部材６０が用紙受入れ姿勢に姿勢設定された状態をそれぞれ示している。
【００９３】
まず、図７の（イ）に示すように、つぎの短尺用紙Ｐｓがスタック部内搬送路Ｒ６に排紙される直前の用紙Ｐが長尺用紙Ｐｂである場合には、用紙昇降部材４３は、長尺用紙用上方位置に位置設定され、これによって長尺用紙Ｐｂの上端部が姿勢維持部材７０に阻止されてガイドローラ対Ｒ５１側に傾倒しないようにされた状態で付勢部材６０が用紙受入れ姿勢に姿勢設定される。
【００９４】
この状態で、短尺用紙Ｐｓがガイドローラ対Ｒ５１を介してスタック部内搬送路Ｒ６に排紙されるため、短尺用紙Ｐｓは、長尺用紙Ｐｂの表面を滑り落ちて、図７の（イ）に二点鎖線で示すように、用紙昇降部材４３に支持された状態になる。
【００９５】
引き続き、付勢部材６０が、図７の（イ）に二点鎖線で示すように、用紙油性姿勢に姿勢変更され、その後、図７の（ロ）に示すように、用紙昇降部材４３が短尺用紙用上方位置に上昇される。これによって、今排紙された短尺用紙Ｐｓは、その上端縁が用紙付勢姿勢に姿勢設定されている付勢部材６０に案内されて姿勢維持部材７０と用紙受け板４２との間に位置した状態になる。
【００９６】
この状態で、図７の（ハ）に示すように、用紙昇降部材４３が用紙受入れ姿勢に姿勢変更される。したがって、つぎの用紙Ｐ（短尺用紙Ｐｓ、長尺用紙Ｐｂの別は問わない）がガイドローラ対Ｒ５１を介してスタック部内搬送路Ｒ６に排紙されても、短尺用紙Ｐｓがガイドローラ対Ｒ５１側へ撓むことがないため、排紙されつつある用紙Ｐが用紙束Ｐ１中に紛れ込んで頁狂いが生じるような不都合が生じることはない。
【００９７】
上記のような用紙昇降部材４３および付勢部材６０の動作の制御を行うために、後処理装置１０には、マイクロコンピュータからなる制御部（制御手段）８０が設けられ、この制御部８０による制御で用紙Ｐが後処理ユニット３０のスタック部内搬送路Ｒ６に排紙されることにより形成した用紙束Ｐ１の整合および頁狂いの防止が確実に行われるようになっている。
【００９８】
図８は、制御部８０による用紙束Ｐ１の整合制御を説明するためのブロック図である。この図に示すように、制御部８０は、中央演算処理装置であるＣＰＵ８１と、このＣＰＵ８１に付設された読み出し専用のＲＯＭ８２と、同読み書き自在のＲＡＭ（記憶部）８３とを備えた基本構成を有している。ＲＯＭ８２には、本制御を実行するためのプログラムが記憶されており、後処理装置１０に電源が入れられる都度、プログラムがＣＰＵ８１に読み込まれるようになっている。これに対し、ＲＡＭ８３は、制御に必要な一時的なデータを読み書きするために使用されるものであり、例えば、現にスタック部内搬送路Ｒ６に排紙されようとしている用紙Ｐのサイズ（短尺用紙Ｐｓ、長尺用紙Ｐｂの別など）、および直前の用紙Ｐのサイズが記憶され、排紙が進むに従って記憶内容が最新のものと更新されるようになっている。
【００９９】
前記ＣＰＵ８１には、用紙受入れ判別部（サイズ判別部）８１１と、用紙付勢指示部８１２と、用紙束昇降指示部８１３と、用紙終了判別部８１４とが設けられている。ＣＰＵ８１外には、１ジョブにおいてスタック部内搬送路Ｒ６に排紙される用紙Ｐの枚数をカウントするカウンタ８４とが設けられている。
【０１００】
前記用紙受入れ判別部８１１は、用紙Ｐがスタック部向け搬送路Ｒ５を通過する度に用紙付勢指示部８１２および用紙束昇降指示部８１３に向けて所定の信号を出力するものである。そのために、ガイドローラ対Ｒ５１の近傍適所には、用紙Ｐがガイドローラ対Ｒ５１を介してスタック部内搬送路Ｒ６へ向かうことを検出する用紙受入れセンサ８０１が設けられ、この用紙受入れセンサ８０１が用紙を検出する度に当該検出信号が用紙受入れ判別部８１１へ入力されるようになっている。用紙受入れ判別部８１１は、この検出信号が入力される度に用紙Ｐがスタック部内搬送路Ｒ６へ受け入れられたと判別し、用紙付勢指示部８１２および用紙束昇降指示部８１３へ向けてそのことを示す信号を出力するようになっている。
【０１０１】
また、用紙受入れ判別部８１１は、用紙受入れセンサ８０１からの検出信号に基づいてその用紙Ｐのサイズ（長さ）を判別するようになっている。具体的には、制御部８０にタイマ８５が設けられ、用紙受入れセンサ８０１が用紙Ｐの前端を検出してから後端を検出するまでに経過した時間がこのタイマ８５によって計測され、得られた経過時間から用紙受入れ判別部８１１が用紙Ｐの長さを算出してその用紙Ｐが短尺用紙Ｐｓであるか長尺用紙Ｐｂであるかを判別するようになっている。
【０１０２】
前記用紙付勢指示部８１２は、用紙受入れセンサ８０１からの検出信号を得た後、用紙昇降部材４３が上方位置から下方位置に下降してから（例えば図５の（イ）に二点鎖線で表示）、アクチュエータ６５に向けて用紙受入れ姿勢に姿勢設定されている付勢部材６０を用紙付勢姿勢に姿勢変更させるための制御信号を出力する一方、下方位置に位置設定されていた用紙昇降部材４３が上方位置に姿勢変更されたときには、アクチュエータ６５に向けて付勢部材６０を元の用紙受入れ姿勢に姿勢変更させる（例えば図５の（ニ）参照）ための制御信号を出力するようになっている。
【０１０３】
付勢部材６０にかかる動作を行わせるために、適所に昇降部材位置センサ８０２が設けられている（図２に示す例では、昇降部材位置センサ８０２はベルト用モータ４５１の近傍に設けられ、ベルト用モータ４５１の回転数を検出することによって用紙昇降部材４３の高さレベルを得るようになっている）。そして、昇降部材位置センサ８０２の検出信号は、一旦用紙受入れ判別部８１１に入力され、ここでの判別結果に基く信号が用紙付勢指示部８１２ヘ向けて出力され、この信号を受けた用紙付勢指示部８１２は、アクチュエータ６５に対して付勢部材６０が所定の姿勢変更するための制御信号を出力するようになっている。
【０１０４】
前記用紙束昇降指示部８１３は、付勢部材６０が用紙受入れ姿勢から用紙付勢姿勢に姿勢変更された後、ベルト用モータ４５１へ向けてモータ駆動の制御信号を出力するものである。そのために、付勢部材６０の近傍には、当該付勢部材６０が用紙受入れ姿勢および用紙付勢姿勢のいずれの姿勢になっているかを検出する付勢部材姿勢センサ８０３（図２）が設けられている。そして、用紙受入れ判別部８１１は、付勢部材６０が用紙付勢姿勢に姿勢設定されていることを検出した前記付勢部材姿勢センサ８０３からの検出信号が入力されると、用紙束昇降指示部８１３に向けてそのことを示す信号を出力するようになっている。
【０１０５】
前記用紙束昇降指示部８１３は、付勢部材６０が用紙受入れ姿勢から用紙付勢姿勢に姿勢変更された後、ベルト用モータ４５１へ向けてモータ駆動の制御信号を出力するものである。そのために、付勢部材６０の近傍には、当該付勢部材６０が用紙受入れ姿勢および用紙付勢姿勢のいずれの姿勢になっているかを検出する付勢部材姿勢センサ８０３が設けられている。そして、用紙受入れ判別部８１１は、付勢部材６０が用紙付勢姿勢に姿勢設定されていることを検出した前記付勢部材姿勢センサ８０３からの検出信号が入力されると、用紙束昇降指示部８１３に向けてそのことを示す信号を出力するようになっている。
【０１０６】
したがって、この信号を受けた用紙束昇降指示部８１３は、ベルト用モータ４５１に対し昇降用無端ベルト４５を介して用紙昇降部材４３を所定距離だけ上昇させる制御信号を出力する一方、付勢部材６０が用紙受入れ姿勢に姿勢設定されることにより、用紙昇降部材４３を下方位置まで下降させる制御信号をベルト用モータ４５１へ向けて出力するようになっている。
【０１０７】
そして、特に本発明においては、用紙束昇降指示部８１３に干渉回避信号出力部８１３ａと、昇降信号出力部８１３ｂとが設けられ、出力される信号の種類に応じて役割分担がなされている。
【０１０８】
前記干渉回避信号出力部８１３ａは、つぎに排紙される用紙Ｐの直前にスタック部内搬送路Ｒ６に貯留されている直前の用紙Ｐのサイズに対応した位置であって、当該直前用紙Ｐの後端縁が次用紙Ｐと干渉しないように設定されたその用紙Ｐ固有の上方位置（用紙受入れ位置）に位置するようにベルト用モータ４５１へ向けて干渉回避信号を出力するものである。したがって、この信号を受けたベルト用モータ４５１は、その駆動で昇降用無端ベルト４５を介して用紙昇降部材４３を付勢部材６０との協働（すなわち付勢部材６０の前面板６２が直前用紙Ｐを付勢した状態）で上方位置に位置させるため、次用紙Ｐは、直前用紙と干渉することなく適切にスタック部内搬送路Ｒ６に排紙される。
【０１０９】
前記昇降信号出力部８１３ｂは、前記干渉回避信号出力部８１３ａからの信号により用紙昇降部材４３が直前用紙Ｐ固有の上方位置に位置設定され、これによって直前用紙Ｐと干渉することなくスタック部内搬送路Ｒ６に受け入れられつつある次用紙Ｐのサイズに対応した下方位置（用紙受入れ位置）に用紙昇降部材４３を移動させる昇降信号をベルト用モータ４５１へ向けて出力するものである。したがって、次用紙Ｐは、たとえ直前用紙Ｐとサイズが異なっていても、直前用紙Ｐと干渉することなく、次用紙固有の用紙受入れ位置にレベル設定され、適正に用紙昇降部材４３に支持されることになる。
【０１１０】
また、本実施形態においては、制御部８０はカウンタ８４を有し、このカウンタ８４は、用紙受入れセンサ８０１が用紙Ｐを検出する都度、その枚数をカウントするようになされている一方、画像形成装置１９から後処理装置１０へ排紙される用紙Ｐの枚数がＣＰＵ８１へ入力されるようになっており、用紙受入れ判別部８１１は、カウンタ８４がカウントした枚数が画像形成装置１９からの枚数情報と一致した時点で、付勢部材６０を初期状態（図５の（イ））に戻す信号を用紙付勢指示部８１２に向けて出力するとともに、用紙昇降部材４３をガイドローラ対Ｒ５１近傍まで上昇させる信号を用紙束昇降指示部８１３へ向けて出力するようになっている。これによってスタック部内搬送路Ｒ６で整合された用紙束Ｐ１は、汎用トレイ向け搬送路Ｒ４を介して汎用トレイ１５へ排紙されることになる。その後、用紙昇降部材４３は、初期位置（例えば図５の（イ）において実線で表示）に戻され、つぎのジョブの用紙Ｐに備えられる。また、カウンタ８４は、１ジョブが終了した時点でクリアされる。
【０１１１】
以下、図９を基に、制御部８０による用紙昇降部材４３および付勢部材６０の動作制御について説明する。図９は、制御部８０による用紙昇降部材４３および付勢部材６０の動作制御のフローを示すフローチャートである。まず、後処理装置１０への用紙の搬入がスタートしてから、ステップＳ１では、今搬入された用紙Ｐが１枚目のものであるのか否かが用紙受入れ判別部８１１によって判別される。この判別は、カウンタ８４によってカウントされた枚数が１枚であるか否かによって行われる。
【０１１２】
そして、搬入された用紙Ｐが１枚目のものではない場合（Ｓ１でＮＯ）には、ステップＳ２が実行され、前回受け入れた用紙Ｐが短尺用紙Ｐｓであるか否かが用紙受入れ判別部８１１により判別される。この判別の結果、前回の用紙Ｐが短尺用紙Ｐｓである場合（Ｓ２でＹＥＳ）、今回の用紙のスタック部内搬送路Ｒ６への排紙をステップＳ７が実行されるまで待機させ（Ｓ３）、引き続き、用紙昇降部材４３が移動されて短尺用紙用下方位置に設定される（Ｓ５）。
【０１１３】
これに対し、前回の用紙Ｐが長尺用紙Ｐｂの場合（Ｓ２でＮＯ）、ステップＳ４で今回の用紙Ｐが短尺用紙Ｐｓであるか否かが判別される。そして、今回の用紙Ｐが長尺用紙Ｐｂである場合（Ｓ４でＮＯ）は、ステップＳ３が実行される。また、今回の用紙Ｐが短尺用紙Ｐｓである場合（Ｓ４度ＹＥＳ、すなわち、前回が長尺用紙Ｐｂで今回が短尺用紙Ｐｓの場合）には、用紙Ｐのスタック部内搬送路Ｒ６への排紙を待機することなく（ステップＳ３を経ることなく）ステップ５に移行される。この場合、ステップＳ５では、用紙昇降部材４３は、長尺用紙用下方位置に位置設定される。
【０１１４】
また、ステップＳ１で用紙Ｐが１枚目のものである場合（Ｓ１でＹＥＳ）には、ステップＳ５にスキップされる。この場合、１枚目の用紙のサイズに応じてその用紙Ｐの下方位置へ用紙昇降部材４３が移動される。
【０１１５】
ついで、用紙受入れ姿勢に姿勢設定されていた付勢部材６０が用紙付勢姿勢に姿勢変更され、これによって前回の用紙Ｐは、姿勢維持部材７０を越えて用紙受け板４２側に押し遣られ（Ｓ６）、引き続き用紙昇降部材４３が前回の用紙Ｐの上方位置に位置設定される（Ｓ７）。これによって前回の用紙Ｐは、その上端縁が今回の用紙Ｐと干渉しない位置に退避した状態になる。この状態で今回の用紙Ｐがスタック部内搬送路Ｒ６に排紙されるため、今回の用紙が前回の用紙Ｐの前頁側に嵌り込んで頁狂いが生じるようなことは起こらない。
【０１１６】
ついで、ステップＳ８で今回の用紙Ｐは最後のものであるか否かが判別され、最後のものでない場合（Ｓ８でＮＯ）に用紙付勢姿勢に設定されていた付勢部材６０が用紙受入れ姿勢に姿勢変更され（Ｓ９）、その後ステップＳ１に戻される。
【０１１７】
一方、ステップＳ８で今回の用紙Ｐが最後のものである場合には、用紙束Ｐ１に所定の後処理が施され（Ｓ１０）、引き続き用紙束Ｐ１の排出処理が行われ（Ｓ１１）た後、つぎのジョブが存在するか否かが判別され（Ｓ１２）、新たなジョブが存在するとき（Ｓ１２でＹＥＳ）は、ステップＳ１に戻って新たなジョブに対する制御が実行される一方、新たなジョブが存在しないとき（Ｓ１２でＮＯ）は制御が終了する。
【０１１８】
本発明に係るスタック機構は、以上詳述したように、搬送されてきた用紙Ｐを受けるべくスタック部２０の底部に設けられた用紙昇降部材４３と、用紙昇降部材４３を用紙受け板４２に沿って昇降用無端ベルト４５を介して昇降させるベルト用モータ４５１と、ベルト用モータ４５１の駆動を制御する制御部８０とを備え、制御部８０は、スタック部２０のスタック部内搬送路Ｒ６に受け入れられる用紙Ｐのサイズを判別する用紙受入れ判別部８１１と、直前にスタック部２０に収容されている用紙Ｐのサイズに対応した位置であって、当該用紙Ｐの後端縁がつぎの用紙Ｐと干渉しない干渉回避位置（用紙整合位置）に位置するようにベルト用モータ４５１へ干渉回避信号を出力するとともに、用紙束昇降指示部８１３と、用紙束昇降指示部８１３からの制御信号により用紙昇降部材４３が干渉回避位置に位置設定された後、受け入れつつある用紙Ｐのサイズに対応した用紙受入れ位置に用紙昇降部材４３を昇降させる昇降信号をベルト用モータ４５１へ出力する用紙束昇降指示部８１３とを備えているため、スタック部２０に排紙される用紙Ｐは、まず、用紙受入れ判別部８１１によって用紙サイズが判別され、以後このサイズに応じたスタック処理が用紙Ｐに施されることになる。
【０１１９】
すなわち、用紙束昇降指示部８１３がすでにスタック部２０にスタックされている直前の用紙Ｐを対象とし、その用紙サイズに応じてベルト用モータ４５１に干渉回避信号を出力するため、用紙昇降部材４３は、直前の用紙Ｐをつぎの用紙Ｐと干渉しない干渉回避位置にまで移動させる。したがって、つぎの用紙Ｐは、直前の用紙Ｐと干渉することなくスタック部２０に排紙されることになる。
【０１２０】
ついで、用紙束昇降指示部８１３からの制御信号により用紙昇降部材４３が干渉回避位置に位置設定された後、昇降信号出力部が受け入れつつある用紙Ｐのサイズに対応した用紙受入れ位置に用紙昇降部材４３を昇降させる昇降信号をベルト用モータ４５１へ出力するため、たとえ直前の用紙Ｐと長さ寸法が異なる異サイズの用紙Ｐがスタック部２０に排紙されても、用紙昇降部材４３に受けられた状態で支障なくスタック部２０に収容される。
【０１２１】
したがって、制御部８０による制御で供給される用紙Ｐのサイズを判別しながら、用紙束昇降指示部８１３からの適正な干渉回避信号、および昇降信号出力部からの適正な昇降信号をベルト用モータ４５１に向けて出力していくことにより、たとえ長さ寸法寸法の異なる用紙Ｐが順次スタック部２０に供給されても、用紙束Ｐ１とつぎの用紙Ｐとの互いの干渉を回避した状態で、スタック部２０の用紙昇降部材４３上に用紙Ｐが順次貯留されていくため、異サイズの用紙Ｐを頁狂いがなく、且つ用紙束Ｐ１の先端縁部（下方縁部）が整合された状態でスタック部２０に一時的に貯留することができる。
【０１２２】
そして、スタック部２０への１ジョブの排紙が完了した状態で、用紙束Ｐ１の先端縁部に対してステープリング処理等の後処理を施すことができる。
【０１２３】
また、直前にスタック部２０に貯留された用紙Ｐの長さが、つぎの用紙Ｐの長さより長い場合、用紙束昇降指示部８１３からの制御信号の出力が停止された状態で、昇降信号出力部が昇降信号を出力するように構成されているため、直前の用紙Ｐがつぎの用紙Ｐより長い場合であっても、この長い用紙Ｐに干渉回避動作を行わせるまでもなく、つぎの用紙Ｐをこの長い用紙Ｐ目掛けて排紙させることができ、これによって長い用紙Ｐに干渉回避動作を行わせずにつぎの用紙Ｐに対して昇降部材を上昇させるという動作だけで済ませることが可能になり、長い用紙Ｐの干渉回避動作を省略した分スタック処理の迅速化を達成することができる。
【０１２４】
また、用紙Ｐがスタック部２０に排紙される都度、当該用紙Ｐを用紙受け板４２に向けて付勢する付勢部材６０が設けられているため、先にスタック部２０のスタック部内搬送路Ｒ６にに排紙された用紙Ｐは、付勢部材６０によって用紙受け板４２に向けて押し遣られ、これによって先の用紙Ｐ（直前用紙）とつぎの用紙Ｐ（次用紙）との干渉が回避され、用紙束Ｐ１の頁狂いを確実に防止することができる。
【０１２５】
さらに、用紙昇降部材４３によって用紙束Ｐ１が上方位置に上昇され、且つ付勢部材６０による付勢が解除された状態で、用紙束Ｐ１が用紙受け板４２側に沿った姿勢を維持させる姿勢維持部材７０が設けられているため、用紙束Ｐ１に対する付勢部材６０による付勢が解除されても、用紙束Ｐ１は、姿勢維持部材７０によって用紙受け板４２に沿わされており、これによってスタック部２０に排紙されたつぎの用紙Ｐが先の用紙束Ｐ１と干渉することが回避され、前記付勢部材６０の作用と相俟って用紙束Ｐ１の頁狂いをさらに確実に防止することができる。
【０１２６】
本発明は、上記の実施形態に限定されるものではなく、以下の内容をも包含するものである。
【０１２７】
（１）上記の実施形態においては、ガイドローラ対Ｒ５１を姿勢維持部材７０で覆い、この姿勢維持部材７０によって排紙された用紙Ｐの上端部がガイドローラ対Ｒ５１側に撓むのを防止するようにしているが、本発明は、ガイドローラ対Ｒ５１を制御部８０で覆うことに限定されるものではなく、スタック部内搬送路Ｒ６からガイドローラ対Ｒ５１側へ撓む用紙Ｐやスタック部内搬送路Ｒ６から排紙される用紙束Ｐ１をガイドローラ対Ｒ５１の内の用紙受け板４２側のガイドローラによって誘導するようにしてもよい。こうすることによって、特に姿勢維持部材７０を設けることなく、用紙昇降部材４３の駆動で上方位置に向かう用紙束Ｐ１の上縁部は、周面が用紙束Ｐ１を用紙受け板４２の方向に向けて押し遣る方向に向けて回転している用紙受け板４２側のガイドローラに誘導され、用紙受け板４２の方向に確実に向かわせることが可能になる。また、姿勢維持部材７０を設けなくてもよい分、部品点数の低減化に貢献することができ、装置コストの低減化に寄与することができる。
【０１２８】
（２）上記の実施形態においては、後処理装置１０としてジョブトレイ１４や中折り処理部１６を備えたものが採用されているが、本発明は、後処理装置１０にジョブトレイ１４や中折り処理部１６が設けられることに限定されるものではなく、少なくともスタック部２０（後処理ユニット３０）が設けられているものであればよい。
【図面の簡単な説明】
【０１２９】
【図１】本発明に係る後処理装置の一実施形態の内部構造を説明するための側面視の説明図である。
【図２】スタック部（後処理ユニット）の一実施形態を示す概略側面図である。
【図３】用紙昇降部材の一実施形態を示す斜視図である。
【図４】付勢部材および姿勢維持部材の一実施形態を示す斜視図である。
【図５】本発明に係る後処理装置における後処理ユニットでの用紙束の整合処理の作用を説明するための説明図であり、（イ）は、最初の用紙がスタック部内搬送路に排紙された直後の状態、（ロ）は、スタック部内搬送路内に排紙された用紙が用紙昇降部材の下降で下がった状態、（ハ）は、スタック部内搬送路内で一旦下がった用紙が用紙昇降部材の上昇で上がった状態、（ニ）は、つぎの用紙がスタック部内搬送路に排紙されつつある状態をそれぞれ示している。
【図６】短尺用紙の用紙束の上に長尺用紙が排紙される場合の作用を説明するための説明図であり、（イ）は、スタック部内搬送路に短尺用紙の用紙束が形成された状態で長尺用紙がスタック部内搬送路に供給されようとしている状態、（ロ）は、スタック部内搬送路内の短尺用紙の用紙束上に長尺用紙が排紙され始めた状態、（ハ）は、用紙昇降部材が長尺用紙用下方位置に位置設定されるとともに、付勢部材が用紙付勢姿勢に姿勢設定された状態、（ニ）は、付勢部材０の用紙付勢姿勢が維持されたまま用紙昇降部材が長尺用上方位置に位置設定された状態をそれぞれ示している。
【図７】直前の用紙Ｐが長尺用紙であって、つぎの用紙Ｐが短尺用紙である場合の作用を説明する説明図であり、（イ）は、短尺用紙がスタック部内搬送路に排紙されつつある状態、（ロ）は、用紙昇降部材が短尺用上方位置まで上昇された状態、（ハ）は、つぎの用紙を受け入れるために付勢部材が用紙受入れ姿勢に姿勢設定された状態をそれぞれ示している。
【図８】制御部による用紙束Ｐ１の整合制御を説明するためのブロック図である。
【図９】制御部による用紙昇降部材および付勢部材の動作制御のフローを示すフローチャートである。
【図１０】従来の後処理装置を示す側面視の略図である。
【符号の説明】
【０１３０】
１０  後処理装置              １１  筐体
１１１  用紙受継ぎ開口        １１２  支柱
１１３  横断軸                １２  パンチ部
１２１  パンチ機構            １３  用紙振分け部
１３１  退避ドラム            １４  ジョブトレイ
１４１  単位トレイ            １５  汎用トレイ
１６  中折り処理部            １６１  中折りユニット
１６２  中折りローラ対        １６３  押し型
１６４  搬出ローラ対          １６５  押え部材
１７  中折りトレイ            １９  画像形成装置
１９１  排紙口                ２０  スタック部
３０  後処理ユニット          ４０  受けユニット
４１  側板                    ４２  用紙受け板
４３  用紙昇降部材            ４４  ステイプル機構
４５  昇降用無端ベルト        ４５１  ベルト用モータ（駆動手段）
４５２  駆動ローラ            ４５３  従動ローラ
４５３ａ  最下位ローラ        ４５３ｂ  ローラ軸
５０  カバーユニット          ５１  側板
５２  被せ板                  ５３  受け部
６０  付勢部材                ６１  側板
６２  前面板                  ６３  上面板
６４  Ｌ型突片                ６５  アクチュエータ
６５１  操作ロッド            ６５２  連結軸
７０  姿勢維持部材            ７１  上部誘導板
７２  下部誘導板              ８０  制御部
８０１  用紙受入れセンサ      ８０２  昇降部材位置センサ
８０３  付勢部材姿勢センサ    ８１  ＣＰＵ
８１１  用紙受入れ判別部      ８１２  用紙付勢指示部
８１３  用紙束昇降指示部      ８１３ａ  干渉回避信号出力部
８１３ｂ  昇降信号出力部      ８１４  用紙終了判別部
８２  ＲＯＭ                  ８３  ＲＡＭ（記憶部）
８４  カウンタ                ８５  タイマ
Ｒ  用紙搬送路                Ｒ１  入口側搬送路
Ｒ２  環状搬送路              Ｒ３  ジョブトレイ向け搬送路
Ｒ４  汎用トレイ向け搬送路    Ｒ５  スタック部向け搬送路
Ｒ５１  ガイドローラ対        Ｒ６  スタック部内搬送路
Ｒ７  中折り部内搬送路        Ｒ８  搬出搬送路
Ｐ  用紙                      Ｐ１  用紙束（貯留用紙）
Ｐｓ  短尺用紙                Ｐｂ  長尺用紙
【図１】
2005154034.tif 000003
【図２】
2005154034.tif 000004
【図３】
2005154034.tif 000005
【図４】
2005154034.tif 000006
【図５】
2005154034.tif 000007
【図６】
2005154034.tif 000008
【図７】
2005154034.tif 000009
【図８】
2005154034.tif 000010
【図９】
2005154034.tif 000011
【図１０】
2005154034.tif 000012